(57)【要約】【課題】空調機器の動力不足を無くすようにエンジン動力を用いるコンバインを提供すること。【解決手段】操縦席２０の前方にエンジン２１により駆動する油圧ポンプ２３と斜板付きの可変容量モータ２６を有する油圧装置と、該油圧装置により駆動する送風装置２２を設け、該送風装置２２の送風方向を刈取装置６の方向又は操縦席２０の方向に変更でき、また送風ファン駆動レバー３１と可変容量モータ２６の斜板操作レバー３２を操縦席２０の近傍に配置したのでオペレータは送風方向を変えることができる。斜板２６ａ付きの可変容量モータ２６は、送風ファン２７の回転方向を正転と逆転可能にしているので送風だけでなく吸引もできる。【選択図】図２
2006149303.tif 000002
【特許請求の範囲】
【請求項１】
エンジン２１で駆動される走行装置３上に植立穀稈を刈り取る刈取装置６と刈り取った穀稈を脱穀する脱穀装置１５を含む装置を設け、これら装置を操作する操縦席２０を備えたコンバインにおいて、
操縦席２０の前方にエンジン２１で駆動される油圧ポンプ２３と油圧モータ２６を有する油圧装置と、該油圧装置により駆動される送風装置２２を設け、該送風装置２２の送風方向を刈取装置６の方向又は操縦席２０の方向に変更できる構成を備えたことを特徴とするコンバイン。
【請求項２】
油圧モータ２６を斜板付きの可変容量モータ２６としたことを特徴とする請求項１記載のコンバイン。
【請求項３】
送風ファン駆動レバー３１と可変容量モータ２６の斜板操作レバー３２を操縦席２０の近傍に配置することを特徴とする請求項１又は２記載のコンバイン。
【請求項４】
斜板付きの可変容量モータ２６は、送風装置２２に設けられた送風ファン２７の回転方向を正転と逆転に変更可能にしたことを特徴とする請求項１ないし３のいずれかに記載のコンバイン。
【発明の詳細な説明】
【技術分野】
【０００１】
本発明は、圃場において穀類の収穫作業を行うコンバインに関する。
【背景技術】
【０００２】
キャビンを持たない操縦席を備えたコンバインは、藁屑や塵埃、または暑気や寒気の悪環境からオペレータを守るために操縦席の近傍に簡易型の送風機器を取り付けている場合がある。
【特許文献１】特開２０００−３１８４３７号公報
【発明の開示】
【発明が解決しようとする課題】
【０００３】
上記従来技術の送風機器は電動式であり、送風機器をオプションで装着した場合にはコンバイン本体の発電容量が不足し、バッテリーが容量不足になりやすいだけでなく、長時間送風機器を使用することができない。また、バッテリーの電力では大きな動力を空調機器に伝達できないために送風量が不足する場合がある。  
本発明の課題は、送風機器の動力不足を無くしたコンバインを提供することである。
【課題を解決するための手段】
【０００４】
本発明の上記課題は、次の解決手段により解決される。  
請求項１記載の発明は、エンジン２１で駆動される走行装置３上に植立穀稈を刈り取る刈取装置６と刈り取った穀稈を脱穀する脱穀装置１５を含む装置を設けこれら装置を操作する操縦席２０を備えたコンバインにおいて、操縦席２０の前方にエンジン２１で駆動される油圧ポンプ２３と油圧モータ２６を有する油圧装置と、該油圧装置により駆動される送風装置２２を設け、該送風装置２２の送風方向を刈取装置６の方向又は操縦席２０の方向に変更できる構成を備えたコンバインである。
【０００５】
請求項２記載の発明は、油圧モータ２６を斜板付きの可変容量モータ２６とした請求項１記載のコンバインである。
【０００６】
請求項３記載の発明は、送風ファン駆動レバー３１と可変容量モータ２６の斜板操作レバー３２を操縦席２０の近傍に配置した請求項１又は２記載のコンバインである。
【０００７】
請求項４記載の発明は、斜板付きの可変容量モータ２６は、送風装置２２に設けられた送風ファン２７の回転方向を正転と逆転に変更可能にした請求項１ないし３のいずれかに記載のコンバインである。
【発明の効果】
【０００８】
請求項１記載の発明によれば、操縦席２０の前方に油圧装置により駆動する送風装置２２を設けたので、電動送風機に比較して動力不足になることが無く、また送風装置２２の送風方向を刈取装置６の方向又は操縦席２０の方向に変更できるので、送風装置２２の送風方向を刈取装置６側に向けると刈取装置６で発生した埃を操縦席２０とは反対方向に送風し、オペレータ側に埃が飛来することを防止できる。また、埃の発生が無い条件又は高温下での作業時にはオペレータ方向に送風するように送風装置２２の送風方向を向けるとオペレータの操作環境が良好となる。
【０００９】
請求項２記載の発明によれば、請求項１記載の発明の効果に加えて、油圧モータ２６を斜板付きの可変容量モータ２６としたので送風力を斜板２６ａの傾斜角度で調整できる。
【００１０】
請求項３の発明によれば、請求項１又は２記載の発明の効果に加えて、送風ファン駆動レバー３１と斜板操作レバー３２を操縦席２０の近傍に配置することで、オペレータは操縦席２０から容易に送風装置２２の操作を行うことができる。
【００１１】
請求項４記載の発明によれば、請求項１ないし３のいずれかに記載の発明の効果に加えて、斜板付きの可変容量モータ２６は、送風装置２２に設けられた送風ファン２７の回転方向を正転と逆転に変更可能であるので送風だけでなく、吸引もできる。そのため、吸引時は送風ファン２２で操縦席２０の周辺の埃を吸引して操縦席２０から離れた場所で埃を排出することができる。
【発明を実施するための最良の形態】
【００１２】
以下、本発明の実施の形態を図面に基づいて具体的に説明する。  
図１は本発明の実施の形態の圃場に植立した穀稈の収穫作業を行うコンバインの右側面図を示し、図２は図１のコンバインの刈取装置と脱穀装置の駆動部の略図を含む平面略図を示し、図３は図１のコンバインのエンジンからの動力を送風ファンへ伝達する動力機構図を示す。
【００１３】
図１などに示すコンバインの走行フレーム２の下部には、駆動輪１にゴムなどの可撓性材料を素材として無端帯状に成型した左右一対のクローラ４を持ち、乾田はもちろんのこと、湿田においてもクローラ４が若干沈下するだけで自由に走行できる構成の走行装置３を備え、走行フレーム２の前部には刈取装置６を搭載し、走行フレーム２の上部にはエンジン２１（図２）ならびに脱穀装置１５、操縦席２０およびグレンタンク３０などを搭載する。
【００１４】
刈取装置６は、図示しない刈取昇降シリンダの伸縮作用により刈取装置６全体を昇降して、圃場に植生する穀稈を所定の高さで刈取ることができる構成としている。刈取装置６の前端下部に分草具７を、その背後に前方下位、後方上位にした穀稈引起し装置５を、その後方底部には刈刃５ａを配置している。該刈刃５ａと脱穀装置１５のフィードチェーンの始端部との間に、前部搬送装置１１と穂先搬送ラグ８と株元搬送チェーン９からなる供給搬送装置などを、順次穀稈の受継搬送と扱深さ調節とができるように配置している。
【００１５】
コンバインの刈取装置６の作動は次のように行われる。  
まず、エンジン２１を始動してパワステレバー１２を前側に傾動し、刈取装置６を所定作業位置に下げてセットする。次に刈取・脱穀クラッチを入として、刈取装置６と脱穀装置１５を駆動させ、変速走行レバー１０を操作して前進走行を始め、同時に刈取・脱穀作業を開始する。また、パワステレバー１２を左右方向に傾動することで左右の旋回方向を決定する。
【００１６】
圃場に植立する穀稈は刈取装置６の前端下部にある分草具７によって分草作用を受け、次いで穀稈引起し装置５の引起し作用によって倒伏状態にあれば直立状態に引起こされ、穀稈の株元が刈刃５ａに達して刈取られ、前部搬送装置１１に掻込まれて後方に搬送され、穂先搬送ラグ８と株元搬送チェーン９からなる供給搬送装置に受け継がれて扱深さが調節され、順次連続状態で後部上方に搬送される。
【００１７】
穀稈は供給搬送装置から脱穀装置１５の脱穀部である扱室６６に挿入される。該扱室６６に軸架された扱胴６９は、その表面に多数の扱歯６９ａが設けられており、図示しない駆動機構によりエンジン２１からの動力で回転する。扱室６６に挿入された穀粒の付いた穀稈は脱穀され、脱穀された被処理物は下方の選別室に落下し、揺動棚の揺動作用と唐箕からの選別風で選別され、選別後の一番物（穀粒）は、グレンタンク３０へ搬送投入される。該グレンタンク３０に貯留された穀粒は、満杯になるとオーガ１８、１９を経由してコンバインの外部へ搬送される。
【００１８】
上記構成からなる本実施例のコンバインは、簡易送風装置２２を操縦席２０の前方に配置しており、該送風装置２２がエンジン動力により駆動する構成を備えている。図３には、エンジン２１からの駆動力を油圧ポンプ２３を介して油圧モータユニット２４の送風装置オンオフ切換バルブ２５と可変容量モータ２６に伝達し、可変容量モータ２６の動力を送風装置２２に伝達する構成を示す。該可変容量モータ２６の斜板２６ａの傾斜角度に応じて吐油量を変えて送風装置２２の送風動力を調整する。
【００１９】
油圧モータユニット２４は前記送風装置２２と送風装置オンオフ切換バルブ２５と可変容量モータ２６を備え、操縦席２０の前方に取り付けられており、送風装置２２と油圧モータユニット２４が隣接位置にあるので送風装置２２への動力伝達系が比較的簡素に構成できる。また、送風装置２２はエンジン動力により油圧で駆動されるので、電動式送風機に比べ大きな駆動動力を得ることができる。
【００２０】
さらに、送風装置２２は刈取装置６と操縦席２０の各方向に送風方向を切り替えることができる支持部に取り付けられているので、送風装置２２の送風方向を刈取装置６側に向けると刈取装置６で発生した埃を操縦席２０とは反対方向に送風し、オペレータ側に埃が飛来することを防止できる。また、埃の発生が無い条件又は高温下での作業時にはオペレータ方向に送風するように送風装置２２を向けるとオペレータの操作環境が良好となる。
【００２１】
図２に示すように、油圧モータユニット２４の送風装置オンオフ切換バルブ２５と可変容量モータ２６を送風装置２２と一体的に設け、送風ファン駆動レバー３１と斜板操作レバー３２をそれぞれ切換バルブ２５と可変容量モータ２６に設けておくと、オペレータは操縦席２０から容易に送風装置２２の操作を行うことができる。また、送風ファン駆動レバー３１により送風装置オンオフ切換バルブ２５を操縦席２０から作動できるので、エンジン２１を停止することなく操縦席２０から容易に送風ファン２７の入り、切りができる。
【００２２】
また、前記油圧モータユニット２４と送風装置２２を一体的にユニット構成にすることで、油圧部品を安価に制作できると共に、オプション部品として、コンバインへの装着が容易にできる。さらに、本実施例の送風装置２２はエンジン動力を利用して送風ファン２７を駆動する構成であるので、電動ファンに比べてコンバイン本機の発電容量が不足するおそれもなく、エンジンの大きな駆動動力により長時間使用できる。
【００２３】
また、図３に示すように油圧ポンプ２３をエンジン２１に取り付けることで、エンジン２１を駆動させるだけで、送風ファン２７も駆動可能となる。
【００２４】
また、斜板操作レバー３２により可変容量モータ２６の斜板２６ａを操作することで送風ファン２７の動力の強さを調整できるが、さらに斜板操作により送風ファン２７の回転方向を変えることができるので送風ファン２７は送風だけでなく吸引機能を発揮することができる。例えば送風ファン２７を送風とは逆方向に回転させることにより操縦席２０の周辺の埃を吸引して操縦席２０から離れた場所で埃を排出することができる。
【産業上の利用可能性】
【００２５】
本発明によれば、送風機器の動力不足を無くすようにエンジン動力を用いるコンバインを提供することができる。
【図面の簡単な説明】
【００２６】
【図１】本発明の実施の形態のコンバインの右側面図を示す。
【図２】図１のコンバインの刈取装置と脱穀装置の駆動部の略図を含む平面略図を示す。
【図３】図１のコンバインのエンジンからの動力を送風ファンへ伝達する動力機構図を示す。
【符号の説明】
【００２７】
１  駆動輪                              ２  走行フレーム
３  走行装置                            ４  クローラ
５  穀稈引起し装置                      ５ａ  刈刃
６  刈取装置                            ７  分草具
８  穂先搬送ラグ                        ９  株元搬送チェーン
１０  走行変速レバー                    １１  前部搬送装置
１２  パワステレバー                    １５  脱穀装置
１８、１９  オーガ                      ２０  操縦席
２１  エンジン                          ２２  送風装置
２３  油圧ポンプ                        ２４  油圧モータユニット
２５  送風装置オンオフ切換バルブ        ２６  可変容量モータ
２６ａ  斜板                            ２７  送風ファン
３０  グレンタンク                      ３１  送風ファン駆動レバー
３２  斜板操作レバー                    ６６  扱室
６９  扱胴                              ６９ａ  扱歯
【図１】
2006149303.tif 000003
【図２】
2006149303.tif 000004
【図３】
2006149303.tif 000005